(57)【要約】【課題】  排水管継手がコンクリートスラブの上面に形成された配管用溝部内に設置された場合であっても、その排水管継手の掃除口を使用して排水管の洗浄作業を確実、かつ容易に行なえるようにすることを目的とする。【解決手段】  本発明に係る排水管継手は、筒状の胴部１１と、胴部１１の上端に形成されており、上階の排水立て管２の下端部が挿入接続される上部受け口２２と、胴部１１の側面に形成されており、排水横枝管４が挿入接続される横枝管受け口２４と、胴部１１に設けられており、洗浄ノズル付きホースを挿入可能に構成された蓋付の掃除口３４と、胴部１１の下端に形成されており、下階の排水立て管２が接続される下側接続部２９とを有しており、掃除口３４は、横枝管受け口２４よりも高い位置で、上方を指向するように構成されている。【選択図】      図１
2007162301.tif 000002
【特許請求の範囲】
【請求項１】
集合住宅の上階と下階とを仕切るコンクリートスラブの上面に形成された配管用溝部内に設置される構成で、その集合住宅の上階の排水立て管及び上階の排水横枝管を下階の排水立て管に接続する排水管継手であって、
筒状の胴部と、
前記胴部の上端に形成されており、前記上階の排水立て管の下端部が挿入接続される上部受け口と、
前記胴部の側面に形成されており、前記排水横枝管が挿入接続される横枝管受け口と、
前記胴部に設けられており、洗浄ノズル付きホースを挿入可能に構成された蓋付の掃除口と、
前記胴部の下端に形成されており、前記下階の排水立て管が接続される下側接続部とを有しており、
前記掃除口は、前記横枝管受け口よりも高い位置で、上方を指向するように構成されていることを特徴とする排水管継手。
【請求項２】
請求項１に記載された排水管継手であって、
前記掃除口は、前記上部受け口と同様に真上を指向するように構成されていることを特徴とする排水管継手。
【請求項３】
請求項１又は請求項２のいずれかに記載の排水管継手であって、
横枝管受け口は、胴部の円周方向に複数個形成されていることを特徴とする排水管継手。
【請求項４】
請求項１から請求項３のいずれかに記載の排水管継手であって、
胴部は、同軸状態で連結可能に構成された上胴体と下胴体とから構成されており、前記上胴体に上部受け口が形成されており、下胴体の上部に掃除口及び横枝管受け口が形成されていることを特徴とする排水管継手。
【発明の詳細な説明】
【技術分野】
【０００１】
本発明は、集合住宅の上階と下階とを仕切るコンクリートスラブの上面に形成された配管用溝部内に設置される構成で、その集合住宅の上階の排水立て管及び上階の排水横枝管を下階の排水立て管に接続する排水管継手に関する。
【背景技術】
【０００２】
集合住宅の上階の排水立て管及び上階の排水横枝管を下階の排水立て管に接続する構成の排水管継手としては種々のものが提案されている。
例えば、特許文献１に記載の排水管継手１００は、図６に示すように、胴部１０２の上端に上階の排水立て管１１０が接続される上部受け口１０３が形成されており、前記胴部１０２の下端に下階の排水立て管１１０が接続される下側接続部１０５が形成されている。また、胴部１０２の側面には、上階の台所流し台や汚水等の衛生器具（図示省略）からの排水を導く排水横枝管１０６（図５参照）が接続される複数の横枝管受け口１０７が形成されている。
排水管継手１００は、胴部１０２が集合住宅の上階と下階とを仕切るコンクリートスラブＣＳの貫通孔Ｃｈに通されており、その胴部１０２と貫通孔Ｃｈとの間に埋め戻しモルタルＭが充填されることでその位置に固定される。
【０００３】
集合住宅の排水設備では、一般的に複数階に一ヶ所の割合で、図５に示す掃除口付きの排水管継手１００が設置されている。掃除口付きの排水管継手１００は胴部１０２の側面に横向きの掃除口１０２ｍを備えており、その掃除口１０２ｍから排水立て管１１０及び排水横枝管１０６に洗浄ノズル付きホースＨを挿入可能なように構成されている。なお、掃除口１０２ｍは、通常、蓋（図示省略）で塞がれており、洗浄時に前記蓋を外せるように構成されている。
また、超高層化した近年の集合住宅では、一般的に、コンクリートスラブＣＳの上面に配管を布設するための配管用溝部Ｃｍが設けられており、排水管継手１００はその配管用溝部Ｃｍ内の所定位置に設置される。ここで、排水管継手の掃除口１０２ｍから配管用溝部Ｃｍの縦壁面までの寸法Ｓは、洗浄作業の作業性を考慮して、約80mm以上となるように定められている。
【０００４】
【特許文献１】特開平１０−２３８６６３号
【発明の開示】
【発明が解決しようとする課題】
【０００５】
しかし、最近、ＳＩ住宅等の集合住宅が超高層化する一方、排水管継手１００の胴径が狭小化されている。このため、胴部１０２の側面に横向き形成された掃除口１０２ｍを備える排水管継手１００では、排水立て管１１０の洗浄作業中に上階から汚水等の排水が流されるとその掃除口１０２ｍから排水が吹き出してしまう。このため、洗浄作業中は掃除口をタオル等で押えておく必要がある。
さらに、横向きの掃除口１０２ｍの場合、排水管継手１００がコンクリートスラブＣＳの配管用溝部Ｃｍ内に設置されると、掃除口１０２ｍから蓋を取外す作業に手間が掛る。特に、配管用溝部Ｃｍが、例えば、300mm程度と深い場合や、施工誤差等により配管用溝部Ｃｍの縦壁面から排水管継手１００の掃除口１０２ｍまでの寸法Ｓが定められた寸法よりも小さい場合には、作業が難しくなる。
また、配管用溝部Ｃｍが深い場合等には、掃除口１０２ｍが見え難く、洗浄ノズル付きホースＨをその掃除口１０２ｍから排水立て管１１０及び排水横枝管１０６に挿入し難くなる。
【０００６】
本発明は、上記問題点を解決するためになされたものであり、本発明が解決しようとする課題は、排水管継手がコンクリートスラブの上面に形成された配管用溝部内に設置された場合であっても、その排水管継手の掃除口を使用して排水管の洗浄作業を確実、かつ容易に行なえるようにすることである。
【課題を解決するための手段】
【０００７】
上記した課題は、各請求項の発明によって解決される。
請求項１の発明は、集合住宅の上階と下階とを仕切るコンクリートスラブの上面に形成された配管用溝部内に設置される構成で、その集合住宅の上階の排水立て管及び上階の排水横枝管を下階の排水立て管に接続する排水管継手であって、筒状の胴部と、前記胴部の上端に形成されており、前記上階の排水立て管の下端部が挿入接続される上部受け口と、前記胴部の側面に形成されており、前記排水横枝管が挿入接続される横枝管受け口と、前記胴部に設けられており、洗浄ノズル付きホースを挿入可能に構成された蓋付の掃除口と、前記胴部の下端に形成されており、前記下階の排水立て管が接続される下側接続部とを有しており、前記掃除口は、前記横枝管受け口よりも高い位置で、上方を指向するように構成されていることを特徴とする。
【０００８】
本発明によると、排水管継手の掃除口が横枝管受け口の下端よりも高い位置で上方を指向しているため、例えば、排水立て管の洗浄作業中に上階から汚水等の排水が流されても、掃除口から排水が吹き出すような不具合がない。このため、洗浄作業中に掃除口をタオル等で押えておく必要がなくなる。
また、排水管継手の掃除口が上方を指向しているため、コンクリートスラブに形成された配管用溝部の縦壁面と排水管継手との間のスペースが狭い場合でも、掃除口から蓋を取外し易くなる。また、掃除口を上方から確認できるため、前記配管用溝部が深い場合でもその掃除口に無理なく洗浄ノズル付きホースを挿入できるようになる。このため、従来のように、横向きに掃除口が形成された排水管継手と比較して、掃除口に洗浄ノズル付きのホースを挿入する場合の作業性が向上する。
【０００９】
請求項２の発明によると、掃除口は、上部受け口と同様に真上を指向するように構成されていることを特徴とする。このため、掃除口の端部がコンクリートスラブの配管用溝部の縦壁面に当接している状態であっても、掃除口の蓋の取外しが可能になる。さらに、洗浄作業中に掃除口を上方から直視できるため、さらに洗浄ノズル付きホースの挿入作業が容易になる。
請求項３の発明によると、横枝管受け口は、胴部の円周方向に複数個形成されていることを特徴とする。
また、請求項４の発明によると、胴部は、同軸状態で連結可能に構成された上胴体と下胴体とから構成されており、前記上胴体に上部受け口が形成されており、下胴体の上部に掃除口及び横枝管受け口が形成されていることを特徴とする。
【発明の効果】
【００１０】
本発明によると、排水管継手をコンクリートスラブの上面に形成された配管用溝部内に設置した場合であっても、その排水管継手の掃除口を使用して排水管の洗浄作業を確実、かつ容易に行なえるようになる。
【発明を実施するための最良の形態】
【００１１】
［実施形態１］
以下、図１から図４に基づいて本発明の実施形態１に係る排水管継手の説明を行なう。本実施形態の排水管継手は、集合住宅の排水設備に使用される排水管継手であり、図１にその排水管継手の取付け側面図が示されている。図２は排水管継手の平面図であり、図３は、洗浄作業の様子を表す側面図である。また、図４は変更例に係る排水管継手の側面図である。
ＳＩ住宅等の超高層化した近年の集合住宅では、図１に示すように、集合住宅の上階Ａと下階Ｂとを仕切るコンクリートスラブＣＳの上面に排水横枝管等が収納される配管用溝部Ｃｍ（いわゆるパイプシャフト）が形成されている。そして、その配管用溝部Ｃｍの所定位置に、本実施形態に係る排水管継手１０の胴部１１が通される貫通孔Ｃｈが形成されている。
【００１２】
＜排水管継手１０について＞
本実施形態に係る排水管継手１０は、上階Ａの排水立て管２、汚水用の第１排水横枝管４及び雑排水用の第２排水横枝管（図示省略）を下階Ｂの排水立て管２に接続する管継手であり、前述のように、コンクリートスラブＣＳの貫通孔Ｃｈに通される円筒状の胴部１１を備えている。
排水管継手１０の胴部１１の上端部には、上階Ａの排水立て管２の下端部が挿入接続される上部受け口２２が形成されている。上部受け口２２の内側には、排水立て管２の下端部と上部受け口２２間を水密な状態でシールする略筒状のシール材（図示省略）が嵌め込まれている。また、胴部１１の側面には、その胴部１１の軸心に対してほぼ直角に汚水用の第１排水横枝管４が挿入接続される第１横枝管受け口２４と、雑排水用の第２排水横枝管（図示省略）が挿入接続される第２横枝管受け口２５とが形成されている（図２（Ａ）参照）。なお、第１、第２横枝管受け口２４，２５の内側にも前記シール材が嵌め込まれている。
【００１３】
ここで、第２横枝管受け口２５は、図２（Ａ）に示すように、第１横枝管受け口２４に対して90°右回転した位置に形成されているが、図２（Ｂ）に示すように、第１横枝管受け口２４に対して90°左回転した位置に形成することも可能である。また、図２（Ｃ）に示すように、排水管継手１０の胴部１１に第１横枝管受け口２４のみを形成し、その第１横枝管受け口２４に排水ヘッダー（図示省略）を介して複数の排水横枝管を接続することも可能である。さらに、図２（Ｄ）に示すように、排水横枝管の本数に合わせて第１横枝管受け口２４、第２横枝管受け口２５、及び第３横枝管受け口２６を円周方向に90°間隔で形成することも可能である。また、図２（Ｅ）に示すように、第２横枝管受け口２５を第１横枝管受け口２４と同方向にエルボー状に曲げたり、第３横枝管受け口２６を真上にエルボー状に曲げることも可能である。さらに、第２横枝管受け口２５、及び第３横枝管受け口２６を水平方向に曲げたものであっても良い。なお、真上に曲げた第３横枝管受け口２６には、例えば、立て型排水ヘッダーや回路通気管等を接続することが可能である。
【００１４】
排水管継手１０の胴部１１の側面には、第１横枝管受け口２４とその胴部１１の中心を挟んで反対側の位置に掃除口形成部３０が設けられている。掃除口形成部３０は、図１〜図３に示すように、通路部３２と、掃除口３４と、蓋３６とから構成されている。通路部３２は、側面略扇形に形成されており、胴部１１内の空間と連通する略円弧形の通路（図示省略）を備えている。通路部３２の通路の上端には、掃除口３４が形成されており、その掃除口３４が上部受け口２２と同様に真上を指向するように構成されている。そして、その掃除口３４の高さ位置が第１横枝管受け口２４よりも高い位置、即ち、胴部１１の肩部１１ｓと等しい高さ位置に設定されている。掃除口３４は、フランジ式の蓋３６、あるいはねじ込み式の蓋３６等によって水密状態で塞がれるように構成されている。
【００１５】
排水管継手１０の胴部１１の下部には、図１に示すように、排水立て管２と等しい径寸法で形成された下部直管１１ｘが形成されており、その下部直管１１ｘの下端に下階Ｂの排水立て管２の上端部（直管）が挿入可能なフランジ付き受け口２９が形成されている。さらに、排水管継手１０の胴部１１には、その胴部１１の径寸法を下部直管１１ｘの径寸法まで緩やかに絞るテーパ状の絞り部１１ｔが設けられている。そして、絞り部１１ｔの内壁面に流下する排水を旋回させるための旋回ガイド２８が形成されている。
即ち、上記したフランジ付き受け口２９が本発明の下側接続部に相当する。
【００１６】
＜排水設備の洗浄方法について＞
次に、上記した排水管継手１０の掃除口３４を使用した排水設備の排水立て管２の洗浄方法について説明する。排水立て管２の洗浄では、図３に示すように、高圧洗浄水を斜め前方に噴射する前方噴射型のノズルＮが使用される。ノズルＮは洗浄ホースＨの先端に装着されており、その洗浄ホースＨの基端部には洗浄水を圧送する高圧ポンプ（図示省略）が接続されている。
排水立て管２の洗浄では、掃除口３４から通路部３２を介して胴部１１の内部空間に導かれたノズルＮ及び洗浄ホースＨをその胴部１１の下方に落とし込み、ノズルＮから高圧洗浄水を噴射させながら下階Ｂの排水立て管２内に挿入する。そして、重力を利用してノズルＮ及び洗浄ホースＨを下方に送りながら、排水立て管２の内周面を洗浄する。この場合、洗浄水は排水立て管２内を流下するため、その洗浄水の逆流を考慮する必要はない。
【００１７】
＜本実施形態に係る排水管継手１０の長所＞
本実施形態に係る排水管継手１０によると、掃除口３４が横枝管受け口２４，２５よりも高い位置で真上を指向しているため、例えば、排水立て管２の洗浄作業中に上階から汚水等の排水が流されても、掃除口３４から排水が吹き出すような不具合がない。このため、洗浄作業中に掃除口３４をタオル等で押えておく必要がなくなる。
また、排水管継手１０の掃除口３４が真上を指向しているため、コンクリートスラブＣｓに形成された配管用溝部Ｃｍの縦壁面と排水管継手１０との間のスペースが狭い場合でも、掃除口３４から蓋３６を取外し易くなる。さらに、掃除口３４は、上部受け口２２と同様に真上を指向するように構成されているため、掃除口３４の端部が配管用溝部Ｃｍの縦壁面に当接している状態であっても、蓋３６の取外しが可能になる。
また、掃除口を上方から直視できるため、配管用溝部Ｃｍが深い場合でもその掃除口に無理なく洗浄ノズル付きホースＨを挿入できるようになる。このため、従来のように、横向きに掃除口が形成された排水管継手と比較して、掃除口に洗浄ノズル付きのホースを挿入する場合の作業性が向上する。
さらに、掃除口３４は横枝管受け口２４よりも高い位置に設けられているため、排水横枝管４の高圧洗浄が行なわれている際に、排水横枝管４から排水管継手１０内に流入した洗浄排水が掃除口３４から外部に吹き出すことがない。
【００１８】
＜変更例＞
本実施形態では、一体型の胴部１１を備える排水管継手１０について説明したが、図４に示すように、上下分割式の胴部１１を備える排水管継手１０に本発明を適用することも可能である。即ち、図４に示す排水管継手１０の胴部１１は、上胴体１１ａと下胴体１１ｂとから構成されており、上胴体１１ａの下部フランジ４１と下胴体１１ｂの上部フランジ４２とがパッキン（図示省略）を介して水密な状態で接続されている。そして、下胴体１１ｂの上部に掃除口形成部３０及び横枝管受け口２４が形成されている。そして、掃除口形成部３０の掃除口３４の高さ位置が上部フランジ４２の高さ位置とほぼ等しく設定されている。
また、本実施形態では、胴部１１の下端部にフランジ付き受け口２９を備える排水管継手１０を例示したが、フランジ付き受け口２９の代わりに直管部を設け、その直管部が下階Ｂの排水立て管２の受け口に挿入される構成でも可能である。
また、本実施形態では、胴部１１がコンクリートスラブＣＳの貫通孔Ｃｈに挿入されるタイプの排水管継手１０を例示したが、コンクリートスラブＣＳの上面で下階Ｂの排水立て管２の受け口に接続される形式の排水管継手に本発明を適用することも可能である。
また、本実施形態では、掃除口３４が上部受け口２２と同様に真上を指向する例を示したが、斜め上方を指向する構成でも可能である。
また、本実施形態では、洗浄ホースＨを直接的に掃除口３４から排水横枝管４に挿入して洗浄を行なう例を示したが、特開２００２−１２９６１５号の図５における符号４０のガイド管を使用して、洗浄ホースＨを掃除口３４から排水横枝管４まで導き、その排水横枝管４の洗浄を行なうことも可能である。
【図面の簡単な説明】
【００１９】
【図１】本発明の実施形態１に係る排水管継手の取付け側面図である。
【図２】排水管継手の平面図（Ａ図、Ｂ図、Ｃ図、Ｄ図、Ｅ図）である。
【図３】洗浄作業の様子を表す側面図である。
【図４】変更例に係る排水管継手の側面図である。
【図５】従来の排水管継手の取付け側面図である。
【図６】従来の排水管継手の取付け側面図である。
【符号の説明】
【００２０】
２        排水立て管
４        第１排水横枝管
１０      排水管継手
１１      胴部
１１ａ    上胴体
１１ｂ    下胴体
２４      第１横枝管受け口
２５      第２横枝管受け口
２９      フランジ付き受け口（下側接続部）
３０      掃除口形成部
３４      掃除口
３６      蓋
Ｃｍ      配管用溝部
ＣＳ      コンクリートスラブ
Ｃｈ      貫通孔
【図１】
2007162301.tif 000003
【図２】
2007162301.tif 000004
【図３】
2007162301.tif 000005
【図４】
2007162301.tif 000006
【図５】
2007162301.tif 000007
【図６】
2007162301.tif 000008